(57)【要約】【課題】レンズ鏡筒への外径の異なる複数のレンズの組み付けを精度良く容易に行えるようにする。【解決手段】鏡筒本体１１に隙間なく挿入することのできない鏡筒本体１１の内径より小さい直径を有するレンズ１５は、一つのカラー１７または入れ子状に配置した複数のカラー１７に挿入することにより、当該レンズ１５とカラー１７との全体で、鏡筒本体１１に隙間なく挿入できる直径となるようにして、鏡筒本体１１内部に配置する。また、鏡筒本体１１の内部における各レンズ１５や各カラー１７や絞１８は、これらの間に配置したスペーサ環１６の厚みや形状によって位置決めする。そして、各レンズ１５や各カラー１７や各スペーサ環１６や絞１８の鏡筒本体１１の内部における固定は、これら各レンズ１５や各カラー１７や各スペーサ環１６や絞１８の全体を、底蓋１２と投射側蓋１３によって挟持することによって行う。【選択図】図１
2009103950.tif 000002
【特許請求の範囲】
【請求項１】
複数のレンズを収容したレンズ鏡筒であって、
中空円筒形状の鏡筒本体と、
前記鏡筒本体の中空部分に挿嵌された中空円筒形状のカラーと、
前記カラーの中空部分に挿嵌された少なくとも一つのレンズと、
前記鏡筒本体または前記カラーに挿嵌された、前記レンズ及び前記カラーと、当該レンズ鏡筒の光軸方向について当接し、前記レンズ及び前記カラーの前記光軸方向の位置を位置決める、環状のスペーサ環とを有することを特徴とするレンズ鏡筒。
【請求項２】
請求項１記載のレンズ鏡筒であって、
中空部分の径が異なる複数の前記カラーを有し、
前記複数のカラーには、各々径の異なるレンズが挿嵌されていることを特徴とするレンズ鏡筒。
【請求項３】
請求項１または２記載のレンズ鏡筒であって、
前記鏡筒本体の中空部分に前記カラーを介在せずに挿嵌された前記レンズを有することを特徴とするレンズ鏡筒。
【発明の詳細な説明】
【技術分野】
【０００１】
本発明は、径の異なる複数のレンズを収容するレンズ鏡筒に関するものである。
【背景技術】
【０００２】
レンズ鏡筒の製造に関する技術としては、図３ａにレンズ鏡筒の断面を模式的に示すように、鏡筒１００の内側面を径方向の段１０１が生じるように形成し、当該段１０１による段差と、鏡筒１００内に配置した抑え環１１０とで、レンズ１２０の外周部分を両側から挟みこんで、当該鏡筒のレンズを組み付ける技術が知られている（たとえば特許文献１）。なお、抑え環１１０の外側側面には、鏡筒の内側面に設けた雌ネジと螺合する雄ネジが設けられており、当該雄ネジを用いて、抑え環１１０は鏡筒１００内に固定される。
【特許文献１】特開平6-18797号公報
【発明の開示】
【発明が解決しようとする課題】
【０００３】
図３ａに示した鏡筒のレンズを組み付ける構造によれば、鏡筒に複数の直径の異なるレンズを組み付ける場合には、図３ｂに示すように、レンズ１２０の組み付け位置毎に鏡筒１００の内径と段１０１の径を異ならせる必要があるために、鏡筒１００の内側面の形状が複雑となる。
【０００４】
そして、このために、精度良く鏡筒を製作することが困難となり、また、レンズの鏡筒への組み付け作業も困難となる。
そこで、本発明は、レンズ鏡筒への外径の異なる複数のレンズの組み付けを、精度良く容易に行えるようにすることを課題とする。
【課題を解決するための手段】
【０００５】
前記課題達成のために、本発明は、複数のレンズを収容したレンズ鏡筒を、中空円筒形状の鏡筒本体と、前記鏡筒本体の中空部分に挿嵌された中空円筒形状のカラーと、前記カラーの中空部分に挿嵌された少なくとも一つのレンズと、前記鏡筒本体または前記カラーに挿嵌された、前記レンズ及び前記カラーと、当該レンズ鏡筒の光軸方向について当接し、前記レンズ及び前記カラーの前記光軸方向の位置を位置決める、環状のスペーサ環とを含めて構成したものである。
【０００６】
ここで、このようなレンズ鏡筒は、中空部分の径が異なる複数の前記カラーを設け、前記複数のカラーに、各々径の異なるレンズを挿嵌するように構成してもよい。また、前記鏡筒本体の中空部分に前記カラーを介在せずに挿嵌した前記レンズを設けるようにしてもよい。
【０００７】
以上のようなレンズ鏡筒によれば、レンズをカラーに挿嵌することによりレンズの直径の違いを吸収できるので、内周の径が一様な中空円筒形状の鏡筒本体を用いて、異なる直径のレンズを収容したレンズ鏡筒を作成することができるようになる。また、カラーやレンズの位置決め用のスペーサ環や、カラーも、ほぼ環状もしくは中空円筒形状といった、単純な形状を有する部材とすることができるので、これら鏡筒本体やスペーサ環やカラーを精度良く製作することができ、これにより、レンズを精度よく鏡筒本体に組み付けることができるようになる。
【０００８】
また、レンズ鏡筒へのレンズの組み付けを、鏡筒本体に、スペーサ環やカラーやレンズを所定の順番で挿入するだけの簡単な作業で行うことができるようになる。
【発明の効果】
【０００９】
以上のように、本発明によれば、レンズ鏡筒への外径の異なる複数のレンズの組み付けを、精度良く容易に行うことができるようになる。
【発明を実施するための最良の形態】
【００１０】
以下、本発明の実施形態を説明する。
本実施形態に係るレンズ鏡筒は、複数のレンズよりなるレンズ群と発光ダイオードとを内蔵し、発光ダイオードで生成された光を、レンズ群で集光し、レンズ鏡筒の一端に設けた開口より射出するものである。
ここで、図１ａに本実施形態に係るレンズ鏡筒１の光射出用開口２を下とした外観を、図１ｂに本実施形態に係るレンズ鏡筒１の光射出用開口２を上とした外観を示す。また、図１ｃにレンズ鏡筒１の断面を模式的に表す。
図示するようにレンズ鏡筒１は、中空円筒形状の鏡筒本体１１、環状の底蓋１２、上述した光射出用開口２が設けられた投射側蓋１３、ダイオード基盤１４、複数のレンズ１５、環状形状を有する複数のスペーサ環１６、中空円筒形状を有する複数のカラー１７、絞１８とを有している。
【００１１】
そして、底蓋１２は、底蓋１２の周面に設けられた雄ネジを、鏡筒本体１１の一端の内周面に設けられた雌ネジと螺合させることにより鏡筒本体１１に固定されている。また、鏡筒本体１１の他端側には、投射側蓋１３が、ネジ３１によって固定されている。
次に、ダイオード基盤１４には、発光ダイオード４２が搭載されると共に、発光ダイオード用の給電線４３が接続されている。また、最も底蓋１２側のスペーサ環１６の底蓋１２側には、当該スペーサ環１６の中央孔を塞ぐように、ダイオード基盤１４がネジ４１よって固定されている。また、この最も底蓋１２側のスペーサ環１６が、当該スペーサ環１６とダイオード基盤１４で、底蓋１２の中央孔を、鏡筒内部側から塞ぐように鏡筒本体１１の内部に固定されている。そして、この状態において、ダイオード基盤１４の一部が底蓋１２の中央孔内に位置し、ダイオード基盤１４に搭載された発光ダイオード４２が鏡筒本体１１の内部に配置され、給電線４３がレンズ鏡筒１の外部に露出するようになっている。
【００１２】
次に、複数のカラー１７のうちの一部のカラー１７は、当該カラー１７を鏡筒本体１１の中空部分に隙間、がたつき等なく挿入できるように、鏡筒本体１１の中空部分の内径より僅かに小さい外径を有し、鏡筒本体１１の中空部分に挿嵌された形態で固定されている。また、複数のカラー１７のうちの残りのカラー１７は、他のカラー１７の中空部分に挿嵌された形態で固定されており、当該他のカラー１７の中空部分に隙間、がたつき等なく挿入できるように、当該他のカラー１７の中空部分内径より僅かに小さい外径を有する。
また、他のカラー１７が中空部分に挿嵌されていない各カラー１７の中空部分には、レンズ１５が挿嵌されており、当該レンズ１５が挿嵌される各カラー１７の中空部分の内径は、当該レンズ１５の外径より僅かに大きく、当該レンズ１５を当該カラー１７の中空部分に、隙間、がたつき等なく挿入できるように形成されている。そして、鏡筒本体１１に隙間なく挿入することのできない鏡筒本体１１の内径より小さい直径を有するレンズ１５は、一つのカラー１７または入れ子状に配置した複数のカラー１７に挿入することにより、当該レンズ１５と当該レンズ１５を挿入したカラー１７との全体で、鏡筒本体１１に隙間なく挿嵌できる直径となるように構成されている。
【００１３】
次に、鏡筒本体１１の内部における各レンズ１５や各カラー１７や絞１８は、これらの間に配置したスペーサ環１６の厚みや形状によって位置決めされている。
そして、各レンズ１５や各カラー１７や各スペーサ環１６や絞１８の鏡筒本体１１の内部における固定は、これら各レンズ１５や各カラー１７や各スペーサ環１６や絞１８の全体を、底蓋１２と投射側蓋１３によって挟持することによって行われている。
このように、本実施形態に係るレンズ鏡筒１によれば、鏡筒本体１１を、内周の径が一様な中空円筒形状としつつ、異なる直径のレンズ１５を所望の位置に固定することができる。また、スペーサ環１６やカラー１７も、ほぼ環状もしは中空円筒形状といった、単純な形状を有する部材とすることができるので、鏡筒本体１１やスペーサ環１６やカラー１７を精度良く製作することができ、これにより、レンズ１５を精度よく鏡筒本体１１に組み付けることができるようになる。
【００１４】
また、本実施形態に係るレンズ鏡筒１によれば、レンズ鏡筒１へのレンズ１５の組み付けは、図１ｄに示すように、鏡筒本体１１に、スペーサ環１６やカラー１７やレンズ１５や絞１８を所定の順番で挿入し、底蓋１２や投射側蓋１３を鏡筒本体１１に固定するだけの簡単な作業で行うことができるようになる。
【００１５】
ここで、図２に、このようなレンズ鏡筒１の使用例を示す。なお、図２は、レンズ鏡筒１に収容した発光ダイオード４２の検査を検査装置に適用する場合のレンズ鏡筒１の使用例を示すものである。
さて、図示した例では、レンズ鏡筒１は、中空円筒形状のホルダ２１に連結固定される。そして、この状態で、レンズ鏡筒１の内部の発光ダイオード４２に給電線４３より給電して、レンズ鏡筒１の内部の発光ダイオード４２を発光させると、発光ダイオード４２で生成された光は、レンズ鏡筒１内部の各レンズ１５や絞１８を通過しながら集光されてレンズ鏡筒１の投射側蓋１３の光射出用開口２よりホルダ２１の内部に出射される。
【００１６】
そして、ホルダ２１内部に出射された光は、ホルダ２１の他端に連結された測定装置の受光系２２に入射し、投影レンズ２２１、光学フィルタ２２２を通過して、ＣＣＤなどの二次元撮像素子２２３上に、発光ダイオード４２の発光面の光分布を表す像を結像する。そして、測定装置は、この像を二次元撮像素子２２３で撮像した画像より、発光ダイオード４２の発光面の光分布を検知し、所定の解析などを施す。
【００１７】
以上、本発明の実施形態について説明した。
【図面の簡単な説明】
【００１８】
【図１】本発明の実施形態に係るレンズ鏡筒を示す図である。
【図２】本発明の実施形態に係るレンズ鏡筒の使用態様を示す図である。
【図３】従来のレンズ鏡筒の構造を示す図である。
【符号の説明】
【００１９】
１…レンズ鏡筒、２…光射出用開口、１１…鏡筒本体、１２…底蓋、１３…投射側蓋、１４…ダイオード基盤、１５…レンズ、１６…スペーサ環、１７…カラー、１８…絞、２１…ホルダ、２２…受光系、４２…発光ダイオード、４３…給電線、２２１…投影レンズ、２２２…光学フィルタ、２２３…二次元撮像素子。
【図１】
2009103950.tif 000003
【図２】
2009103950.tif 000004
【図３】
2009103950.tif 000005